(57)【要約】【課題】マスタとなる音声調整手段を柔軟に変更できる音声調整装置を提供することができる。【解決手段】音声調整手段２２＿１〜２２＿ｍは、複数のグループに分類されており、マスタの音声調整手段が、自らの音声調整レベル指定手段で指定された音量調整レベルをグループ内の他の音声調整手段に音量調整レベルを出力する。他の音声調整手段は、自らの音声調整レベル指定手段で指定された音量調整レベルと、同じグループ内のマスタから入力した音量調整レベルとを加算して得た音量調整レベルを用いて、入力した音声信号を増幅して出力する。音声調整手段２２＿１〜２２＿ｍは、マスタ宣言を行うことで、所定の条件に従ってマスタとなる。【選択図】　　　図１
2004140531.tif 000002
【特許請求の範囲】
【請求項１】
それぞれ音声の調整レベルを指定する調整レベル指定手段と、マスタ宣言手段とを有する複数の音声調整手段
を有し、
前記音声調整手段は、
前記複数の音声調整手段が複数のグループに分類されており、当該音声調整手段が前記グループのマスタである場合に、自らの前記調整レベル指定手段によって指定された調整レベルを基に、入力した音声信号を調整して出力し、前記調整レベルを同じグループ内の他の前記複数の音声調整手段に出力し、
当該音声調整手段が前記マスタでない場合に、自らの前記調整レベル指定手段によって指定された調整レベルと、前記マスタである他の前記音声調整手段から入力した調整レベルとを用いて新たな調整レベルを生成し、当該新たな調整レベルを基に、入力した音声信号を調整して出力し、
前記マスタ宣言手段を用いてマスタ宣言指示が出された場合に、同じグループ内の他の前記音声調整手段にマスタ宣言を出力し、所定の条件に従って前記マスタとなる
音声調整装置。
【請求項２】
前記グループに属する複数の前記音声調整手段のなかで所定の前記音声調整手段が初期状態のマスタとして規定されている場合に、
前記音声調整手段は、自らの前記マスタ宣言手段を用いて前記マスタ宣言指示が出された場合に、同じグループ内で前記初期状態のマスタとして規定されている前記所定の音声調整手段の位置からの距離が、同じグループ内で既に前記マスタとなっている他の前記音声調整手段に比べて長いことを条件に前記マスタとなる
請求項１に記載の音声調整装置。
【請求項３】
前記音声調整手段は、自らが前記マスタとなっている状態で、同じグループ内の他の前記音声調整手段が前記マスタ宣言を行った場合に、同じグループ内で前記初期状態のマスタとして設定されている前記所定の音声調整手段の位置からの距離が、前記マスタ宣言を行った他の前記音声調整手段に比べて短いことを条件に前記マスタの設定を解除する
請求項２に記載の音声調整装置。
【発明の詳細な説明】
【０００１】
【発明の属する技術分野】
本発明は、入力した複数の音声信号の音量などをそれぞれ調整して出力する音声調整装置に関する。
【０００２】
【従来の技術】
例えば、マイクロフォンや音声再生装置からなどの装置から複数の音声信号を入力し、それぞれの音声信号の音量レベルを、それぞれ対応する複数の音声調整手段を用いてそれぞれ調整して出力する音声調整装置がある。
各音声調整手段には、音量の調整レベルを指定するための調整レベル指定手段が設けられており、当該調整レベル指定手段で指定された調整レベルで音声信号を増幅して音量を調整する。
このような音声調整装置では、複数の音声調整手段を、それぞれ複数の音声調整手段によって構成される複数のグループに分類し、マスタとなる音声調整手段が各グループ毎に予め固定的に規定されている。
マスタである音声調整手段は、その調整レベル指定手段で指定された調整レベルを、対応するグループ内の他の音声調整手段に出力する。
マスタでない他の音声調整手段は、上記マスタである音声調整手段から入力した調整レベルと、自らの調整レベル指定手段で指定された調整レベルとを加算して新たな調整レベルを生成し、この調整レベルを基に、入力した音声信号を増幅して音量レベルを調整している。
【０００３】
【発明が解決しようとする課題】
しかしながら、上述した従来の音声調整装置では、各グループ毎にマスタとなる音声調整手段が予め固定的に規定されているため、音声調整手段が横方向の広い範囲にわたって配置されている大規模な装置の場合に、マスタの音声調整手段を操作するために、操作者が長い距離を移動しなければならない場合があり、不便であるという問題がある。
【０００４】
本発明は上述した従来技術の問題点に鑑みてなされ、マスタとなる音声調整手段を柔軟に変更できる音声調整装置を提供することを目的とする。
【０００５】
【課題を解決するための手段】
上記の目的を達成するため、本発明の音声調整装置は、それぞれ音声の調整レベルを指定する調整レベル指定手段と、マスタ宣言手段とを有する複数の音声調整手段を有し、前記音声調整手段は、前記複数の音声調整手段が複数のグループに分類されており、当該音声調整手段が前記グループのマスタである場合に、自らの前記調整レベル指定手段によって指定された調整レベルを基に、入力した音声信号を調整して出力し、前記調整レベルを同じグループ内の他の前記複数の音声調整手段に出力し、当該音声調整手段が前記マスタでない場合に、自らの前記調整レベル指定手段によって指定された調整レベルと、前記マスタである他の前記音声調整手段から入力した調整レベルとを用いて新たな調整レベルを生成し、当該新たな調整レベルを基に、入力した音声信号を調整して出力し、前記マスタ宣言手段を用いてマスタ宣言指示が出された場合に、同じグループ内の他の前記音声調整手段にマスタ宣言を出力し、所定の条件に従って前記マスタとなる。
【０００６】
本発明の音声調整装置の作用は以下のようになる。
マスタである音声調整手段が、自らの前記調整レベル指定手段によって指定された調整レベルを基に、入力した音声信号を調整して出力し、前記調整レベルを同じグループ内の他の前記複数の音声調整手段に出力する。
また、マスタでない音声調整手段が、自らの前記調整レベル指定手段によって指定された調整レベルと、前記マスタである他の前記音声調整手段から入力した調整レベルとを用いて新たな調整レベルを生成し、当該新たな調整レベルを基に、入力した音声信号を調整して出力する。
また、前記音声調整手段は、マスタ宣言手段を用いてマスタ宣言指示が出された場合に、同じグループ内の他の前記音声調整手段にマスタ宣言を出力し、所定の条件に従って前記マスタとなる。
【０００７】
また、本発明の音声調整装置は、好ましくは、前記グループに属する複数の前記音声調整手段のなかで所定の前記音声調整手段が初期状態のマスタとして規定されている場合に、前記音声調整手段は、自らの前記マスタ宣言手段を用いて前記マスタ宣言指示が出された場合に、同じグループ内で前記初期状態のマスタとして規定されている前記所定の音声調整手段の位置からの距離が、同じグループ内で既に前記マスタとなっている他の前記音声調整手段に比べて長い（遠い）ことを条件に前記マスタとなる。
【０００８】
また、本発明の音声調整装置は、好ましくは、前記音声調整手段は、自らが前記マスタとなっている状態で、同じグループ内の他の前記音声調整手段が前記マスタ宣言を行った場合に、同じグループ内で前記初期状態のマスタとして設定されている前記所定の音声調整手段の位置からの距離が、前記マスタ宣言を行った他の前記音声調整手段に比べて短い（近い）ことを条件に前記マスタの設定を解除する。
【０００９】
【発明の実施の形態】
以下、本発明の実施の形態を添付図面を参照して説明する。
図１は、本発明の実施形態に係わる音声調整装置２０の機能ブロック図である。
図１に示すように、音声調整装置２０は、例えば、切換手段２１、音声調整手段２２＿１〜２２＿ｍ、合成手段２３および操作部２５を有する。
ここで、音声調整手段２２＿１〜２２＿ｍが本発明の音声調整手段に対応している。
なお、ｍは２以上の任意の整数である。
【００１０】
切換手段２１は、再生／入力装置１０＿１〜１０＿ｎに接続されており、再生／入力装置１０＿１〜１０＿ｎから入力した音声信号のうち、操作部２５からの指示信号Ｓ２５ａによって指定された音声信号を選択し、当該選択した音声信号を、指示信号Ｓ２５ａによって指定された音声調整手段２２＿１〜２２＿ｍに出力する。
【００１１】
再生／入力装置１０＿１〜１０＿ｎは、装着された記録媒体に記録されたデジタルから再生された、あるいはマイクロフォンから入力された音声信号Ｓ１０＿１〜Ｓ１０＿ｎを音声調整装置２０の切換手段２１に出力する。
なお、ｎは２以上の任意の整数である。
【００１２】
音声調整手段２２＿１〜２２＿ｍは、それぞれ切換手段２１から入力した音声信号Ｓ２１＿１〜Ｓ２１＿ｍを増幅して音量レベルを調整した音声信号Ｓ２２＿１〜Ｓ２２＿ｍを生成し、これを合成手段２３に出力する。
音声調整手段２２＿１〜２２＿ｍは基本的に同一の構成であり、以下、音声調整手段２２＿４について説明する。
【００１３】
図２は、音声調整手段２２＿１〜２２＿ｍ相互間の配線、並びに音声調整手段２２＿４の構成を説明するための図である。
音声調整装置２０では、音声調整手段２２＿１〜２２＿ｍのうち、同じグループに属する複数の音声調整手段が、ディジチェーン（Ｄａｉｓｙ−ｃｈａｉｎ）　方式で同じマスタ宣言用配線５１に接続されている。
図２に示す例では、調整手段２２＿１，２２＿４，２２＿６，２２＿７，２２＿１０が同じグループに属している。
また、音声調整装置２０では、音声調整手段２２＿１〜２２＿ｍのうち、同じグループに属する複数の音声調整手段が、バス方式で同じ音量調整レベル伝送用配線５２に接続されている。
なお、本実施形態では、例えば、音声調整手段２２＿１〜２２＿が８個のグループに分類されている。
音声調整手段２２＿１〜２２＿ｍが、何れのグループに属するかは、例えば、操作部２５からの制御信号Ｓ２５ｂによって決定される。
【００１４】
図２に示すように、音声調整手段２２＿４は、例えば、スイッチ手段３１、音量調整レベル指定手段３２およびＶＣＡ（Ｖｏｌｔａｇｅ　Ｃｏｎｔｒｏｌ　Ａｍｐｌｉｔｕｄｅ）　３３を有する。
スイッチ手段３１は、音量調整レベル指定手段３２からの切換信号に基づいて、音声調整手段２２＿４がマスタである場合に、音量調整レベル指定手段３２からの音量調整レベル信号ＡＡＬを音量調整レベル伝送用配線５２上に送出する。
また、スイッチ手段３１は、音量調整レベル指定手段３２からの切換信号に基づいて、音声調整手段２２＿４がマスタでない場合に、音量調整レベル伝送用配線５２上を送出された音量調整レベル信号ＡＡＬを入力して音量調整レベル指定手段３２に出力する。
【００１５】
音量調整レベル指定手段３２は、音量調整レベルを指定するための音声調整レベル指定手段４１と、マスタ宣言ボタン４２とを有する。
ここで、音声調整レベル指定手段４１が本発明の調整レベル指定手段に対応し、マスタ宣言ボタン４２とがマスタ宣言手段に対応している。
音量調整レベル指定手段３２は、マスタ宣言ボタン４２がオン状態で、音声調整手段２２＿４がマスタとなっている場合には、音声調整レベル指定手段４１の操作位置に応じた音量調整レベルを示す音量調整レベル信号ＡＡＬをスイッチ手段３１に出力する。
また、音量調整レベル指定手段３２は、音声調整手段２２＿４がマスタとなっていない場合に、音量調整レベル伝送用配線５２およびスイッチ手段３１を介して、マスタとなっている音声調整手段が出力した音量調整レベル信号ＡＡＬを入力し、当該入力した音量調整レベル信号ＡＡＬが示す音量調整レベルと音声調整レベル指定手段４１の操作位置に応じた音量調整レベルとを加算した音量調整レベルを示す音量調整レベル信号ＡＡＬ１を生成し、これをＶＣＡ３３に出力する。
【００１６】
ＶＣＡ３３は、切換手段２１から入力した音声信号Ｓ２１＿４を、音量調整レベル信号ＡＡＬ１が示す音量調整レベルで増幅して音声信号Ｓ２２＿４を生成し、これを合成手段２３に出力する。
【００１７】
合成手段２３は、操作部２５からの制御信号Ｓ２５ｃに基づいて、音声調整手段２２＿１〜２２＿ｍから入力した音声信号Ｓ２２＿１〜Ｓ２２＿ｍを合成して合成音声信号Ｓ２０を生成し、この合成音声信号Ｓ２０を放送系に出力する。
【００１８】
操作部２５は、例えば、ボタンやタッチパネルなどであり、例えば、操作者の操作に応じて、制御信号Ｓ２５ａ，Ｓ２５ｂ，Ｓ２５ｃを生成し、これらをそれぞれ切換手段２１、音声調整手段２２＿１〜２２＿ｍおよび合成手段２３に出力する。
【００１９】
以下、音声調整手段２２＿１〜２２＿ｍにおけるマスタ獲得動作について説明する。
ここでは、上述したように調整手段２２＿１，２２＿４，２２＿６，２２＿７，２２＿１０が同じグループに属しており、音声調整手段２２＿１０が初期状態でのマスタとして規定され、その後のマスタ宣言により、音声調整手段２２＿６がマスタとなっている状態で、音声調整手段２２＿１がマスタ宣言を行った場合の動作例を説明する。
【００２０】
この場合に、ユーザが音声調整手段２２＿１のマスタ宣言ボタン４２を操作してマスタ宣言指示が出されると、音声調整手段２２＿１の音量調整レベル指定手段３２からマスタ宣言用配線５１にマスタ宣言信号Ｄ＿ＭＡＳＴＥＲが送出され、グループ内の後段の音声調整手段２２＿４に入力される。
音声調整手段２２＿４は、マスタ宣言していないため、音声調整手段２２＿１からのマスタ宣言信号Ｄ＿ＭＡＳＴＥＲをグループ内の後段の音声調整手段２２＿６にマスタ宣言用配線５１を介して出力する。
音声調整手段２２＿６は、マスタ宣言信号Ｄ＿ＭＡＳＴＥＲを入力すると、自らが宣言して獲得したマスタの権限を放棄する（自らのマスタの設定を解除する）。その後、音声調整手段２２＿６７は、スイッチ手段３１が音量調整レベル伝送用配線５２からの音量調整レベル信号ＡＡＬを入力して音量調整レベル指定手段３２に出力するように制御する。
また、音声調整手段２２＿６は、マスタ宣言信号Ｄ＿ＭＡＳＴＥＲを、グループ内の後段の音声調整手段２２＿７に出力する。
【００２１】
当該マスタ宣言信号Ｄ＿ＭＡＳＴＥＲは、音声調整手段２２＿７を介して、グループ内の後段の音声調整手段２２＿１０に出力される。
音声調整手段２２＿７，２２＿１０では、継続して、スイッチ手段３１が音量調整レベル伝送用配線５２からの音量調整レベル信号ＡＡＬを入力して音量調整レベル指定手段３２に出力するように制御する。
【００２２】
次に、図１に示す音声調整装置２０の全体動作例を説明する。
先ず、操作者が操作部２５を操作して、合成対象の音声信号Ｓ１０＿１〜Ｓ１０＿ｎの素材を再生、あるいは音声を入力する再生／入力装置１０＿１〜１０＿ｎを選択することを示す指示信号Ｓ２５ａを切換手段２１に出力する。
これにより、切換手段２１によって、音声信号Ｓ１０＿１〜Ｓ１０＿ｎのうち、指示信号Ｓ２５ａによって選択された音声信号を音声信号Ｓ２１＿１〜Ｓ２１＿ｍとしてそれぞれ音声調整手段２２＿１〜Ｓ２２＿ｍに出力される。
【００２３】
そして、音声調整手段２２＿１〜Ｓ２２＿ｍのうち、マスタである音声調整手段は、音声調整レベル指定手段４１の操作位置に応じた音量調整レベルを示す音声調整レベル信号ＡＡＬ１をＶＣＡ３３に出力する。そして、ＶＣＡ３３が、切換手段２１から入力した音声信号を、音量調整レベル信号ＡＡＬ１が示す音量調整レベルで増幅して音声信号を生成し、これを合成手段２３に出力する。
、また、マスタである音声調整手段は、音声調整レベル指定手段４１の操作位置に応じた音量調整レベルを示す音声調整レベル信号ＡＡＬを音量調整レベル伝送用配線５２に送出する。
【００２４】
一方、音声調整手段２２＿１〜Ｓ２２＿ｍのうち、マスタでない音声調整手段は、音量調整レベル伝送用配線５２およびスイッチ手段３１を介して、マスタである他の音声調整手段が出力した音量調整レベル信号ＡＡＬを入力し、当該入力した音量調整レベル信号ＡＡＬが示す音量調整レベルと自らの音声調整レベル指定手段４１の操作位置に応じた音量調整レベルとを加算した音量調整レベルを示す音量調整レベル信号ＡＡＬ１を生成し、これをＶＣＡ３３に出力する。そして、ＶＣＡ３３が、切換手段２１から入力した音声信号を、音量調整レベル信号ＡＡＬ１が示す音量調整レベルで増幅して音声信号を生成し、これを合成手段２３に出力する。
【００２５】
そして、合成手段２３において、音声信号Ｓ２２＿１〜Ｓ２２＿ｍが合成されて合成音声信号Ｓ４０が生成される。合成音声信号Ｓ４０は、合成手段２３から放送系に出力される。
【００２６】
以上説明したように、音声調整装置２０によれば、グループ内のマスタとなる音声調整手段２２＿１〜２２＿ｍをユーザが自由に変更できる。
また、音声調整装置２０によれば、初期状態のマスタとして規定されている音声調整手段から距離が離れている音声調整手段を優先的にマスタとして設定する。
そのため、マスタである音声調整手段の位置までユーザが移動する最大距離を短くでき、操作性を高めることができる。
【００２７】
本発明は上述した実施形態には限定されない。
例えば、上述した実施形態では、本発明の調整レベルとして、音量調整レベルを例示したが、音声信号の周波数調整レベルなどの、その他の調整レベルを用いてもよい。
また、本発明では、切換手段２１に入力される音声信号の数、並びに音声調整手段の数は任意である。
【００２８】
【発明の効果】
以上説明したように、本発明によれば、マスタとなる音声調整手段を柔軟に変更できる音声調整装置を提供することができる。
【図面の簡単な説明】
【図１】図１は、本発明の実施形態に係わる音声調整装置の機能ブロック図である。
【図２】図２は、図１に示す音声調整手段相互間の配線、並びに音声調整手段の構成を説明するための図である。
【符号の説明】
１０＿１〜１０＿ｎ…再生／入力装置、２０…音声調整装置、２１…切換手段、２２＿１〜２２＿ｍ…音声調整手段、２３…合成手段、２５…操作部、３１…スイッチ手段、３２…音量調整レベル指定手段、３３…ＶＣＡ、３４…５１…マスタ宣言用配線、５２…音量調整レベル伝送用配線、Ｄ＿ＭＡＳＴＥＲ…マスタ宣言信号、ＡＡＬ…音声調整レベル信号
【図１】
2004140531.tif 000003
【図２】
2004140531.tif 000004